【手続補正書】
【提出日】平成23年7月21日(2011.7.21)
【手続補正１】
【補正対象書類名】特許請求の範囲
【補正対象項目名】全文
【補正方法】変更
【補正の内容】
【特許請求の範囲】
【請求項１】
複数の記録層と複数のクラスタ構造のデータを記録するエリアと、記録媒体における物理的な記録位置を示すアドレスとを有する記録媒体におけるアドレス生成方法であって、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
ｈビットの層番号アドレスと、（ｉ＋ｋ）ビット（ｋ：自然数）のクラスタ番号アドレスと、ｊビットのカウント値により構成される第2のビット割り付けのいずれかを有しており、
ビット割り付け識別情報により、前記第1のビット割り付けと第2のビット割り付けのいずれかに基づいてアドレスを生成することを特徴とするアドレス生成方法。
【請求項２】
複数の記録層と複数のクラスタ構造のデータを記録するエリアと、記録媒体における物理的な記録位置を示すアドレスとを有する記録媒体におけるアドレス検出方法であって、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
ｈビットの層番号アドレスと、（ｉ＋ｋ）ビット（ｋ：自然数）のクラスタ番号アドレスと、ｊビットのカウント値により構成される第2のビット割り付けのいずれかを有しており、
前記記録媒体に格納されるビット割り付け識別情報により、前記第1のビット割り付けと第2のビット割り付けのいずれかに基づいてアドレスを検出することを特徴とするアドレス検出方法。
【請求項３】
複数の記録層と複数のクラスタ構造のデータを記録するエリアと、記録媒体における物理的な記録位置を示すアドレスとを有する記録媒体からデータを再生する再生装置において、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
ｈビットの層番号アドレスと、（ｉ＋ｋ）ビット（ｋ：自然数）のクラスタ番号アドレスと、ｊビットのカウント値により構成される第2のビット割り付けのいずれかを有しており、
前記第1のビット割り付けに対応してアドレスを検出する第1のアドレス再生手段と、前記第2のビット割り付けに対応してアドレスを検出する第2のアドレス再生手段を有し、
前記記録媒体に格納されるビット割り付け識別情報により、前記第1の再生手段と第2の再生手段の検出結果のいずれかに基づいてアドレスを検出し、データを再生することを特徴とする再生装置。
【請求項４】
複数の記録層と複数のクラスタ構造のデータを記録するエリアと、記録媒体における物理的な記録位置を示すアドレスとを有する記録媒体にデータを記録する記録装置において、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
ｈビットの層番号アドレスと、（ｉ＋ｋ）ビット（ｋ：自然数）のクラスタ番号アドレスと、ｊビットのカウント値により構成される第2のビット割り付けのいずれかを有しており、
前記第1のビット割り付けに対応してアドレスを検出する第1のアドレス再生手段と、前記第2のビット割り付けに対応してアドレスを検出する第2のアドレス再生手段を有し、
前記記録媒体に格納されるビット割り付け識別情報により、前記第1の再生手段と第2の再生手段の検出結果のいずれかに基づいてアドレスを検出し、データを記録することを特徴とする記録装置。
【請求項５】
複数の記録層と複数のクラスタ構造のデータを記録するエリアと、記録媒体における物理的な記録位置を示すアドレスとを有する記録媒体にデータを記録する記録方法において、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
ｈビットの層番号アドレスと、（ｉ＋ｋ）ビット（ｋ：自然数）のクラスタ番号アドレスと、ｊビットのカウント値により構成される第2のビット割り付けのいずれかを有しており、
前記第1のビット割り付けに対応してアドレスを検出する第1のアドレス再生手段と、前記第2のビット割り付けに対応してアドレスを検出する第2のアドレス再生手段を有し、
前記アドレスが前記第1のビット割り付けと前記第2のビット割り付けのいずれに基づいているかを検出し、
前記記録媒体に格納されたビット割り付け識別情報による検出結果に基づいて検出された前記アドレスからデータを記録する記録方法。
【請求項６】
複数の記録層と複数のクラスタ構造のデータを記録するエリアと、記録媒体における物理的な記録位置を示すアドレスとを有する記録媒体からデータを再生する再生方法において、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
ｈビットの層番号アドレスと、（ｉ＋ｋ）ビット（ｋ：自然数）のクラスタ番号アドレスと、ｊビットのカウント値により構成される第2のビット割り付けのいずれかを有しており、
前記第1のビット割り付けに対応してアドレスを検出する第1のアドレス再生手段と、前記第2のビット割り付けに対応してアドレスを検出する第2のアドレス再生手段を有し、
前記アドレスが前記第1のビット割り付けと前記第2のビット割り付けのいずれに基づいているかを検出し、
前記記録媒体に格納されたビット割り付け識別情報による検出結果に基づいて検出された前記アドレスからデータを再生する再生方法。
【請求項７】
複数の記録層と複数のクラスタ構造のデータを記録するエリアと、記録媒体における物理的な記録位置を示すアドレスとを有する記録媒体におけるアドレス生成方法であって、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
（ｈ−ｋ）ビット（ｋ：自然数）の層番号アドレスと、（ｉ＋ｋ）ビットのクラスタ番号アドレスと、ｊビットのカウント値により構成される第2のビット割り付けのいずれかを有しており、
ビット割り付け識別情報により、前記第1のビット割り付けと第2のビット割り付けのいずれかに基づいてアドレスを生成することを特徴とするアドレス生成方法。
【請求項８】
複数の記録層と複数のクラスタ構造のデータを記録するエリアと、記録媒体における物理的な記録位置を示すアドレスとを有する記録媒体におけるアドレス検出方法であって、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
（ｈ-ｋ）ビット（ｋ：自然数）の層番号アドレスと、（ｉ＋ｋ）ビットのクラスタ番号アドレスと、ｊビットのカウント値により構成される第2のビット割り付けのいずれかを有しており、
前記記録媒体に格納されるビット割り付け識別情報により、前記第1のビット割り付けと第2のビット割り付けのいずれかに基づいてアドレスを検出することを特徴とするアドレス検出方法。
【請求項９】
複数の記録層と複数のクラスタ構造のデータを記録するエリアと、記録媒体における物理的な記録位置を示すアドレスとを有する記録媒体からデータを再生する再生装置において、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
（ｈ-ｋ）ビット（ｋ：自然数）の層番号アドレスと、（ｉ＋ｋ）ビットのクラスタ番号アドレスと、ｊビットのカウント値により構成される第2のビット割り付けのいずれかを有しており、
前記第1のビット割り付けに対応してアドレスを検出する第1のアドレス再生手段と、前記第2のビット割り付けに対応してアドレスを検出する第2のアドレス再生手段を有し、
前記記録媒体に格納されるビット割り付け識別情報により、前記第1の再生手段と第2の再生手段の検出結果のいずれかに基づいてアドレスを検出し、データを再生することを特徴とする再生装置。
【請求項１０】
複数の記録層と複数のクラスタ構造のデータを記録するエリアと、記録媒体における物理的な記録位置を示すアドレスとを有する記録媒体にデータを記録する記録装置において、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
（ｈ-ｋ）ビット（ｋ：自然数）の層番号アドレスと、（ｉ＋ｋ）ビットのクラスタ番号アドレスと、ｊビットのカウント値により構成される第2のビット割り付けのいずれかを有しており、
前記第1のビット割り付けに対応してアドレスを検出する第1のアドレス再生手段と、前記第2のビット割り付けに対応してアドレスを検出する第2のアドレス再生手段を有し、
前記記録媒体に格納されるビット割り付け識別情報により、前記第1の再生手段と第2の再生手段の検出結果のいずれかに基づいてアドレスを検出し、データを記録することを特徴とする記録装置。
【請求項１１】
複数の記録層と複数のクラスタ構造のデータを記録するエリアと、記録媒体における物理的な記録位置を示すアドレスとを有する記録媒体におけるアドレス生成方法であって、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
ｈビットの層番号アドレスと、（ｉ＋ｋ）ビット（ｋ：自然数）のクラスタ番号アドレスと、（ｊ−ｋ）ビットのカウント値により構成される第2のビット割り付けのいずれかを有しており、
ビット割り付け識別情報により、前記第1のビット割り付けと第2のビット割り付けのいずれかに基づいてアドレスを生成することを特徴とするアドレス生成方法。
【請求項１２】
複数の記録層と複数のクラスタ構造のデータを記録するエリアと、記録媒体における物理的な記録位置を示すアドレスとを有する記録媒体におけるアドレス検出方法であって、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
ｈビットの層番号アドレスと、（ｉ＋ｋ）ビット（ｋ：自然数）のクラスタ番号アドレスと、（ｊ−ｋ）ビットのカウント値により構成される第2のビット割り付けのいずれかを有しており、
前記記録媒体に格納されるビット割り付け識別情報により、前記第1のビット割り付けと第2のビット割り付けのいずれかに基づいてアドレスを検出することを特徴とするアドレス検出方法。
【請求項１３】
複数の記録層と複数のクラスタ構造のデータを記録するエリアと、記録媒体における物理的な記録位置を示すアドレスとを有する記録媒体からデータを再生する再生装置において、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
ｈビットの層番号アドレスと、（ｉ＋ｋ）ビット（ｋ：自然数）のクラスタ番号アドレスと、（ｊ−ｋ）ビットのカウント値により構成される第2のビット割り付けのいずれかを有しており、
前記第1のビット割り付けに対応してアドレスを検出する第1のアドレス再生手段と、前記第2のビット割り付けに対応してアドレスを検出する第2のアドレス再生手段を有し、
前記記録媒体に格納されるビット割り付け識別情報により、前記第1の再生手段と第2の再生手段の検出結果のいずれかに基づいてアドレスを検出し、データを再生することを特徴とする再生装置。
【請求項１４】
複数の記録層と複数のクラスタ構造のデータを記録するエリアと、記録媒体における物理的な記録位置を示すアドレスとを有する記録媒体にデータを記録する記録装置において、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
ｈビットの層番号アドレスと、（ｉ＋ｋ）ビット（ｋ：自然数）のクラスタ番号アドレスと、（ｊ−ｋ）ビットのカウント値により構成される第2のビット割り付けのいずれかを有しており、
前記第1のビット割り付けに対応してアドレスを検出する第1のアドレス再生手段と、前記第2のビット割り付けに対応してアドレスを検出する第2のアドレス再生手段を有し、
前記記録媒体に格納されるビット割り付け識別情報により、前記第1の再生手段と第2の再生手段の検出結果のいずれかに基づいてアドレスを検出し、データを記録することを特徴とする記録装置。
【請求項１５】
複数の記録層と複数のクラスタ構造のデータを記録するエリアと、記録媒体における物理的な記録位置を示すアドレスとを有する記録媒体におけるアドレス生成方法であって、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
（ｈ＋ｉ）ビットのクラスタ番号アドレスと、ｊビットのカウント値により構成される第2のビット割り付けのいずれかを有しており、
ビット割り付け識別情報により、前記第1のビット割り付けと第2のビット割り付けのいずれかに基づいてアドレスを生成することを特徴とするアドレス生成方法。
【請求項１６】
複数の記録層と複数のクラスタ構造のデータを記録するエリアと、記録媒体における物理的な記録位置を示すアドレスとを有する記録媒体におけるアドレス検出方法であって、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
（ｈ＋ｉ）ビットのクラスタ番号アドレスと、ｊビットのカウント値により構成される
第2のビット割り付けのいずれかを有しており、
前記記録媒体に格納されるビット割り付け識別情報により、前記第1のビット割り付けと第2のビット割り付けのいずれかに基づいてアドレスを検出することを特徴とするアドレス検出方法。
【請求項１７】
複数の記録層と複数のクラスタ構造のデータを記録するエリアと、記録媒体における物理的な記録位置を示すアドレスとを有する記録媒体からデータを再生する再生装置において、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
（ｈ＋ｉ）ビットのクラスタ番号アドレスと、ｊビットのカウント値により構成される第2のビット割り付けのいずれかを有しており、
前記第1のビット割り付けに対応してアドレスを検出する第1のアドレス再生手段と、前記第2のビット割り付けに対応してアドレスを検出する第2のアドレス再生手段を有し、
前記記録媒体に格納されるビット割り付け識別情報により、前記第1の再生手段と第2の再生手段の検出結果のいずれかに基づいてアドレスを検出し、データを再生することを特徴とする再生装置。
【請求項１８】
複数の記録層と複数のクラスタ構造のデータを記録するエリアと、記録媒体における物理的な記録位置を示すアドレスとを有する記録媒体にデータを記録する記録装置において、
前記アドレスは、前記複数の記録層の番号を示す層番号アドレスと、前記複数のクラスタのデータ位置を示すクラスタ番号アドレスと、前記クラスタのクラスタ内をカウントするカウント値により構成されているアドレスであって、
ｈビット（ｈ：自然数）の層番号アドレスと、ｉビット（ｉ：自然数）のクラスタ番号アドレスと、ｊビット（ｊ：自然数）のカウント値により構成される第1のビット割り付けと、
（ｈ＋ｉ）ビットのクラスタ番号アドレスと、ｊビットのカウント値により構成される第2のビット割り付けのいずれかを有しており、
前記第1のビット割り付けに対応してアドレスを検出する第1のアドレス再生手段と、前記第2のビット割り付けに対応してアドレスを検出する第2のアドレス再生手段を有し、
前記記録媒体に格納されるビット割り付け識別情報により、前記第1の再生手段と第2の再生手段の検出結果のいずれかに基づいてアドレスを検出し、データを記録することを特徴とする記録装置。